(57)【要約】      （修正有）【課題】従来技術におけるファン機能が単一であるという技術的問題を解決する、浄化ファンを提供する。【解決手段】本考案は家電製品の技術分野に適用され、具体的には浄化ファンを提供し、ファン本体、機能モジュール、組み合わせフレーム２を含み、機能モジュールは少なくとも一つであり、かつファン本体の吸気箇所に設置され、組み合わせフレームは風の流れが通過できる複数のフレーム溝を有し、フレーム溝は機能モジュールを配置するために用いられる。【選択図】図１
0003235146.tif 000002
【実用新案登録請求の範囲】
【請求項１】
ファン本体と、
前記ファン本体の吸気箇所に設置される少なくとも一つの機能モジュールと、
風の流れが通過できる複数のフレーム溝が設置される組み合わせフレームと、を備え、
前記組み合わせフレームは、前記機能モジュールを配置するために用いられる
ことを特徴とする浄化ファン。
【請求項２】
前記機能モジュールが空気浄化モジュール、除菌モジュールおよび蚊駆除モジュールのうちの一種又は複数種であることを特徴とする請求項１に記載の浄化ファン。
【請求項３】
前記組み合わせフレームは、
風孔が開設される底板と、
前記底板にカバーされる蓋体と、を備え、
前記フレーム溝が前記蓋体に設置され、かつ前記フレーム溝の前記底板に対向する板体にも風孔が開設され、前記フレーム溝が前記ファン本体の回転軸の軸線を中心として配置され、前記ファン本体にフレームロッドが接続され、前記組み合わせフレームが前記フレームロッドに接続される
ことを特徴とする請求項１又は２に記載の浄化ファン。
【請求項４】
隣接する前記フレーム溝の間に退位溝が設置され、前記フレームロッドは前記退位溝を貫通しかつ前記退位溝に磁石により吸着接続されることを特徴とする請求項３に記載の浄化ファン。
【請求項５】
前記底板及び前記蓋体は円弧状であり、隣接する前記組み合わせフレームの間に前記フレームロッドが設置され、かつ前記組み合わせフレームは前記フレームロッドに接続されることを特徴とする請求項３に記載の浄化ファン。
【請求項６】
前記ファン本体は、
中心スリーブと、
前記中心スリーブの円周方向に沿って均一に配置されるファンブレードと、
回転カバーと、
正逆回転モータであるモータと、
前記モータを固定するモータカバーと、を備え、
前記モータの動力出力ロッドが前記中心スリーブを貫通した後に前記回転カバーに接続され、前記フレームロッドが前記モータカバーに設置されることを特徴とする請求項３に記載の浄化ファン。
【請求項７】
前記フレームロッドは複数であり、かつ円周方向に沿って均一に配置され、前記フレームロッドの延長線は前記モータの動力出力ロッドを通過しかつ前記動力出力ロッドと垂直であることを特徴とする請求項６に記載の浄化ファン。
【請求項８】
前記フレームロッドにさらに風路が設置され、前記風路は円環状であり、前記ファン本体は前記風路内に設置されることを特徴とする請求項７に記載の浄化ファン。
【請求項９】
前記風路のスカートにはさらに、前記スカートを一周するように光源が設置され、前記フレームロッドにさらに環状の導光板が設置され、前記風路が前記導光板の内輪に位置しかつ前記光源の光線が前記導光板に照射されることを特徴とする請求項８に記載の浄化ファン。
【請求項１０】
前記回転カバーと動力出力ロッドとの間がねじにより接続され、前記回転カバーと前記中心スリーブとの間に回転カバーの逆回転引き外しを防止する係止機構が設けられることを特徴とする請求項６に記載の浄化ファン。
【考案の詳細な説明】
【技術分野】
【０００１】
本考案は家電製品の技術分野に関し、より具体的には、浄化ファンに関するものである。
【背景技術】
【０００２】
市販された従来のファンの機能及び構造が単一であり、送風の作用のみを果たすことができ、機能が単一であり、特に室内空気がよくない場合、ただ送風して風を室内で循環させるか又は風を室外に単純に吹き、それにより空気を浄化することができ、このように空気浄化に対する効果が非常に小さく、空気を浄化することをよく実現することができず、特に夏に蚊虫ウイルスが多く、ファンが吹くのみで問題を完全に解決することができず、かつ従来のファンは今まで逆回転機能がなく、機能がより一層単一である。
【考案の概要】
【考案が解決しようとする課題】
【０００３】
本考案の目的は浄化ファンを提供することであり、従来の技術におけるファン機能が単一であるという技術的問題を解決する。
【課題を解決するための手段】
【０００４】
上記目的を達成するために、本考案が採用する技術的解決手段は浄化ファンを提供し、
ファン本体と、
前記ファン本体の吸気箇所に設置される少なくとも一つの機能モジュールと、
風の流れが通過できる複数のフレーム溝が設置される組み合わせフレームと、を備え、
前記組み合わせフレームは、前記機能モジュールを配置するために用いられる。
【０００５】
本考案の一つの実施例において、前記機能モジュールは空気浄化モジュール、除菌モジュール又は蚊駆除モジュールのうちの一種又は複数種である。
【０００６】
本考案の一つの実施例において、前記組み合わせフレームは、
風孔が開設される底板と、
前記底板にカバーされる蓋体と、を備え、
前記フレーム溝が前記蓋体に設置され、かつ前記フレーム溝の前記底板に対向する板体にも風孔が開設され、前記フレーム溝が前記ファン本体の回転軸の軸線を中心として配置され、前記ファン本体にフレームロッドが接続され、前記組み合わせフレームが前記フレームロッドに接続される。
【０００７】
本考案の一つの実施例において、隣接するフレーム溝の間に退位溝が設けられ、前記フレームロッドは前記退位溝を貫通しかつ退位溝に磁石により吸着接続される。
【０００８】
本考案の一つの実施例において、前記底板及び蓋体は円弧状であり、隣接する組み合わせフレームの間に前記フレームロッドが設置されかつ前記フレームロッドに接続される。
【０００９】
本考案の一つの実施例において、前記ファン本体は、
中心スリーブと、
中心スリーブの円周方向に沿って均一に配置されるファンブレードと、
回転カバーと、
正逆回転モータであるモータと、
前記モータを固定するモータカバーと、を備え、
前記モータの動力出力ロッドが前記中心スリーブを貫通した後に前記回転カバーに接続され、前記フレームロッドがモータカバーに設置される。
【００１０】
本考案の一つの実施例において、前記フレームロッドは複数であり、かつ円周方向に沿って均一に配置され、前記フレームロッドの延長線は前記モータの動力出力ロッドを通過しかつ前記動力出力ロッドと垂直である。
【００１１】
本考案の一つの実施例において、前記フレームロッドにさらに風路が設置され、前記風路は円環状であり、前記ファンは前記風路内に設置される。
【００１２】
本考案の一つの実施例において、前記風路のスカートにさらに一周する光源が設置され、前記フレームロッドにさらに環状の導光板が設置され、前記風路が前記導光板の内輪に位置しかつ前記光源の光線が前記導光板に照射される。
【００１３】
本考案の一つの実施例において、前記回転カバーと動力出力ロッドとの間がねじにより接続され、前記回転カバーと中心スリーブとの間に回転カバーの逆回転引き外しを防止する係止機構が設けられる。
【考案の効果】
【００１４】
本考案が提供する浄化ファンの有益な効果は、従来の技術に比べて、本考案における浄化ファンは送風効果を実現すると同時に、さらに機能モジュールを有し、機能モジュールの種類は必要に応じて設置することができ、ファン本体の吸気箇所に機能モジュールを設置し、風が流れる時に機能モジュールに吹き付け、空気に対して対応する機能調整効果を実現することができ、ファンの多機能性を増加させ、かつ機能モジュールの設置はフレーム溝の形式で実現され、複数のフレーム溝を有し、複数の機能モジュールを配置することができ、異なる機能効果を増加させる。
【００１５】
本考案の実施例に係る技術的解決手段をより明らかにするために、以下、実施例または従来技術の説明に使用する必要がある図面を簡単に説明するが、明らかなことに、以下の説明における図面は、本考案のいくつかの実施例に過ぎない。当業者であれば、創造的な工夫をせずに、これらの図面により他の図面を取得することができる。
【図面の簡単な説明】
【００１６】
【図１】本考案の実施例が提供する浄化ファンの構造概略図である。
【図２】図１の背部構造の概略図である。
【図３】図１の一部構造の概略図である。
【図４】図１の二つの組み合わせフレームが円環を形成する構造概略図である。
【図５】図４の単一の組み合わせフレームの構造概略図である。
【図６】図５の背部構造の概略図である。
【図７】図５の蓋体の構造概略図である。
【図８】図５の底板の構造概略図である。
【図９】本考案の実施例が提供する機能モジュールの外形構造概略図である。
【考案を実施するための形態】
【００１７】
本考案が解決しようとする技術的問題、技術的解決手段および考案の効果をより分かりやすくするために、以下に添付図面および実施例を参照しながら、本考案について詳しく説明する。ここで記載した具体的な実施例は本考案を説明するためのものに過ぎず、本考案を限定するためのものではないことを理解されたい。
【００１８】
説明すべきことは、部材が別の部材に「固定」または「設置」されると称する場合に、それが別の部材に直接的または間接的に位置するようにしてもよい。ある部材が別の部材に「接続」されると称する場合に、それは、別の部材に直接的または間接的に接続されるようにしてもよい。
【００１９】
また、「第１」、「第２」という用語は説明の目的だけに用いられ、比較的重要性を指示または暗示するか、あるいは示された技術的特徴の数を黙示的に指示するためのものと理解してはいけない。したがって、「第１」、「第２」などで限定された特徴は、１つまたは複数の該特徴を明示的または暗黙的に含むことができる。本考案の説明において、別途明確かつ具体的な限定がない限り、「複数」とは、二つ以上を意味する。別途明確かつ具体的な限定がない限り、「若干」とは、一つ以上を意味する
【００２０】
本考案の説明において、「中心」、「長さ」、「幅」、「厚さ」、「上」、「下」、「前」、「後」、「左」、「右」、「垂直」、「水平」、「頂」、「底」、「内」、「外」などの用語が示した方位または位置関係は、図面に示された方位または位置関係に基づいて本考案を説明しやすくおよび簡単化するためのものに過ぎず、装置または素子が特定の方位を有しそして特定の方位で構成し操作しなければならないことを指すまたは暗示するためのものではないため、本考案を限定するためのものではないことに理解されたい。
【００２１】
本考案の説明において、説明すべきことは、別途明確な規定及び限定がない限り、「取り付け」、「連接」、「接続」の用語を広義に理解すべきであり、例えば、固定接続であってもよく、取り外し可能な接続であってもよく、又は一体的な接続であってもよい。機械的な接続であってもよく、電気的な接続であってもよい。直接接続であってもよく、中間媒体を介して間接的に接続されてもよく、二つの素子内部の連通又は二つの素子の相互作用関係であってもよい。当業者にとって、具体的な状況に応じて上記用語の本考案における具体的な意味を理解することができる。
【００２２】
図１〜図４を参照すると、本考案は浄化ファンの一つの具体的な実施例を提供し、ファン本体、機能モジュール１、組み合わせフレーム２を含み、その中で、ファン本体はファンの送風構造であり、空気の流れを駆動することができ、送風を行うと同時に他の機能を増加させるために、本実施例はファン本体の吸気箇所に機能モジュール１を設置し、機能モジュール１は、風の流れが通過する時、例えば浄化、除菌等の相応的な機能を実現するように選択することができ、しかしながら機能モジュール１は吸気箇所に設置され、支持体により受けられる必要があり、本実施例は組み合わせフレーム２を提供し、組み合わせフレーム２に複数のフレーム溝３が設置され、フレーム溝３は機能モジュール１を受けるためのものであり、フレーム溝３は通風の構造であり、風がフレーム溝３を吹き付ける時にも機能モジュール１を吹き付け、空気の浄化及び除菌等の効果を実現し、複数のフレーム溝３であるため、各フレーム溝３内にいずれも対応する機能モジュール１が設置される可能性がある。
【００２３】
本実施例が提供する浄化ファンは、送風効果を実現すると同時に、さらに機能モジュール１を有し、機能モジュール１の種類は必要に応じて設置されることができ、ファン本体の吸気箇所に機能モジュール１を設置し、風が流れる時に機能モジュール１を吹き付け、空気に対して対応する機能調整効果を実現することができ、ファンの多機能性を増加させ、かつ機能モジュール１の設置はフレーム溝３の形式で実現され、複数のフレーム溝３を有し、複数の機能モジュール１を配置することができ、異なる機能効果を増加させる。
【００２４】
さらに、本実施例の好ましい実施形態として、図９に示すように、機能モジュール１として、周囲環境を浄化できるモジュール又はモジュールの組み合わせを選択し、異なる室内シーンに応じて選択し、具体的には空気浄化モジュール、除菌モジュール又は蚊駆除モジュールのうちの一種又は複数種の組み合わせであってもよい。
【００２５】
具体的には、所在する環境に多くの汚染企業がある場合、空気浄化モジュールを選択することができ、病院の場合に除菌モジュール又は消毒モジュールを選択することができ、夏の場合、蚊駆除モジュールを選択することができ、空気浄化モジュール、除菌モジュール、消毒モジュール、蚊駆除モジュールはいずれも市販されている製品であり、フレーム溝３がそれを収容することができればよい。
【００２６】
本実施形態は複数種の選択可能な機能モジュール１を採用し、環境に応じて適応的に選択することができ、空気が各モジュールを吹き付ける時、対応する機能を実現することができ、該ファンの機能効果を大幅に増加させ、送風のみを行うことができる機能が単一であるという問題を解決する。
【００２７】
そのうちの一つの実施例において、図４〜図８に示すように、組み合わせフレーム２は底板５及び蓋体６を含み、底板５は組み合わせフレーム２の底部を構成し、蓋体６は底板５にカバーされ、すなわち底板５は支持を提供し、蓋体６はカバー効果を提供し、かつ蓋体６に機能モジュール１を収容するためのフレーム溝３、すなわち突起した溝状キャビティを有し、通風を実現するために、底板５及びフレーム溝３にいずれも通風可能な風孔が開設され、風が流れる時に空気を浄化し殺菌するなどの効果を有し、かつフレーム溝３は前記ファン本体の回転軸の軸線を中心として配置され、前記ファン本体にフレームロッド４が接続され、前記組み合わせフレーム２は前記フレームロッド４に接続される。フレーム溝３はファン本体の回転軸の軸線を中心として配置されることにより、複数の機能モジュール１はいずれも最大限に吸気箇所に位置することができ、それらを合理的に分布させ、かつフレームロッド４により、組み合わせフレーム２を容易に着脱させることができる。
【００２８】
本実施例において組み合わせフレーム２の一つの具体的な実施形態を提供し、まずカバー方式で機能モジュール１を固定し、操作が十分に簡単であり、取り外し及び交換しやすく、各蓋体６に複数のフレーム溝３が設けられ、複数の機能モジュール１を収容することができ、必要に応じて選択することができる。具体的には、底板５及び蓋体６の選択可能な材質はプラスチックであり、プラスチックの組み合わせフレーム２を採用し、プラスチック材質が軽く、かつ靭性も高く、複数のフレーム溝３がいずれも吸気風により吹付けられるため、本実施例はフレーム溝３をファン本体の回転軸の軸線を中心として配置させる形式を採用し、すなわち円環状を囲み、このように各フレーム溝３はいずれも同程度で回転軸の軸線に近接することを実現し、同等の風の流れの通過効果を受け、円環状が最も均一な配置形式であるため、従来の空間を合理的にセットして使用する。組み合わせフレーム２の設置は支持体に依存する必要があるため、本実施例においてフレームロッド４が設置され、組み合わせフレーム２はフレームロッド４に取り外し可能に設置され、着脱しやすく、かつフレームロッド４はファン本体構造に接続される。
【００２９】
さらに、図２及び図３に示すように、組み合わせフレーム２はフレームロッド４により固定され、フレームロッド４はファン本体に接続され、フレームロッド４により組み合わせフレーム２を固定する形式は、蓋体６に複数のフレーム溝３が設けられ、隣接する二つのフレーム溝３は完全に接合せず、隣接する二つのフレーム溝３の間に退位溝７が設けられ、フレームロッド４は退位溝７を貫通し、フレームロッド４の対応する位置に磁石８が設けられ、磁石８により退位溝７を吸着し、フレームロッド４と退位溝７との間に磁石８により吸引することができ、この時にフレームロッド４と退位溝７の対応する位置に金属が設けられ、又はフレームロッド４と退位溝７の材質自体は金属である、ことにある。
【００３０】
本実施形態において、退位溝７が設置され、退位溝７はフレーム溝３の間に設置され、退位溝７は即ち二つのフレーム溝３の側壁で形成され、別途設置する必要がなく、構造を簡略化し、フレームロッド４の退位溝７を貫通する位置に磁石８が設置され、磁石８により吸着し、より着脱しやすくなる。
【００３１】
さらに、図７及び図８に示すように、本実施例の好ましい実施形態として、底板５及び蓋体６の形状はいずれも円弧状に設置され、此処の円弧状は半円、大半円又はある中心角に対応する円弧であってもよく、フレーム溝３がファン本体の回転軸の軸線を中心として配置されるため、機能モジュール１がいずれも吸気領域に入ることができ、配置が合理的で均一になるためであり、上記配置に適応するために、底板５及びそれにセットする蓋体６も円弧状に設置され、具体的には、フレーム溝３も円弧状に適合的に設置され、このように機能モジュール１が回転軸の軸線を中心として均一に配置されやすく、機能モジュール１はフレーム溝３と適合する形状を採用する。
【００３２】
本実施形態において、底板５及び蓋体６が円弧の形式を採用する場合、少なくとも二つの組み合わせフレーム２を接合して円全体を形成する必要があり、このように隣接する二つの組み合わせフレーム２の間に接合するか、それともフレームロッド４の形式で接合する、すなわちフレームロッド４が二つの組み合わせフレーム２の交差箇所を貫通し、同時に二つの組み合わせフレーム２を接続するか、に関わる。
【００３３】
本実施形態が採用する接続形式は構造が簡単で操作しやすく、複数の円弧形を円全体に容易に接続することができ、複数の機能モジュール１が円周方向にいずれも同じ程度で風量を取得することができる。
【００３４】
そのうちの一つの実施例において、図１及び図２に示すように、前記ファン本体は中心スリーブ９、ファンブレード１０、回転カバー１１、モータ、モータカバー１２を含む。ここで、中心スリーブ９は中心位置にあり、モータの動力出力ロッドに外嵌され、モータの動力出力ロッドにより中心スリーブ９を回転するように駆動する。ァンブレード１０は複数であり、その作用は空気を吹付けて流れることであり、ファンブレード１０は中心スリーブ９の側面に接続され、かつ均一に設置される。回転カバー１１に雌ネジが設置され、モータの動力出力ロッドに雄ネジが設置され、回転カバー１１は動力出力ロッドにねじ込まれ、かつ中心スリーブ９を動力出力ロッドに対して押し付けてロックし、このように動力出力ロッドは中心スリーブ９を回転するように駆動することができる。本実施例におけるモータは正回転しても逆回転してもよいモータであり、ファンの正回転及び逆回転を実現することができ、送風及び排気を実現することができる。モータの外部にさらにモータカバー１２がカバーされ、モータカバー１２は前記モータを固定するために用いられ、前記フレームロッド４はモータカバー１２に設けられる。
【００３５】
本実施例のファン本体における回転カバー１１はねじ接続の形式で動力出力ロッドに接続され、中心スリーブ９を押し付けることができ、それにより動力出力ロッドが回転すると同時に中心スリーブ９及びファンブレード１０が回転するように駆動し、送風の効果を実現し、かつモータは正逆回転モータであり、中心スリーブ９が正回転及び逆回転するように駆動することができ、送風及び排気の効果を実現する。本実施例におけるモータカバー１２は、モータを効果的に保護し、破壊の発生を防止するために設置されたものであり、かつフレームロッド４の固定支持体を提供し、フレームロッド４をモータカバー１２に固定することができ、フレームロッド４を他の構造に接続しやすくなる。
【００３６】
さらに、図３に示すように、本実施例において、組み合わせフレーム２がフレームロッド４により固定され、組み合わせフレーム２が円弧状に設計されるため、構造に適応するために、フレームロッド４が複数に設置され、かつ円周方向に沿って配列され、かつフレームロッド４の延長線がモータの動力出力ロッドを通過しかつ動力出力ロッドと垂直であり、このように複数のフレームロッド４が同一中心に向きかつ発散形式で配列されることを形成し、このように円弧状の組み合わせフレーム２の形式と適合し、組み合わせフレーム２の接続を容易にする。
【００３７】
本実施例は円周方向に沿って配列されたフレームロッド４を採用し、円弧形状を呈する組み合わせフレームロッド４の接続を容易にし、構造が適合し、組み合わせラックフレームの接続を容易にする。
【００３８】
そのうちの一つの実施例において、図１及び図２に示すように、フレームロッド４は組み合わせフレーム２を接続する作用を果たすだけでなく、風路１３を接続することもでき、風路１３はその中心位置に配置されたファンを保護する作用を果たす。
【００３９】
本実施例はフレームロッド４の機能を十分に利用し、組み合わせフレーム２を接続すると同時に風路１３を接続し、同時に風路１３を固定し、様々な用途を実現する。
【００４０】
ファンの機能を増加させるために、本実施例はファンをさらに光源が設置されたファンランプの形式に設置し、具体的には、風路１３のスカートにさらに一周する光源が設置され、フレームロッド４にさらに環状の導光板１４が設置され、前記風路１３は前記導光板１４の内輪に位置しかつ前記光源の光線は前記導光板１４に照射される。
【００４１】
本実施例において、図１及び図２に示すように、フレームロッド４は組み合わせフレーム２、風路１３を設置する以外に、さらに導光板１４を設置し、光源は具体的にはＬＥＤランプであってもよく、光源は風路１３のスカートに沿って一周するように設置され、導光板１４の内輪壁は光源に位置合わせされ、発射された光は導光板１４を通過した後に発射され、このようにファンランプの形式を形成する。
【００４２】
さらに、前記回転カバー１１と動力出力ロッドとの間はねじにより接続され、前記回転カバー１１と中心スリーブ９との間に回転カバー１１の逆回転引き外しを防止する係止機構が設けられる。
【００４３】
本実施形態において、回転カバー１１と動力出力ロッドとの間はねじにより接続され、回転カバー１１のねじ込みに伴い、中心カバーを動力出力ロッドに押し付け、かつそれをロックし、このように動力出力ロッドは中心スリーブ９を回転するように駆動することができ、この時に回転カバー１１は慣性の作用でねじ込まれるほど締め付けられ、しかし逆回転する時に、回転カバー１１は慣性の作用で緩みが発生する可能性があり、この状況を回避するために、回転カバー１１と中心スリーブ９との間に回転カバー１１の逆回転引き外しを防止する係止機構が設けられる。
【００４４】
具体的には、係止機構は、中心スリーブ９にラチェット歯車の歯に類似する環状の歯形構造が設置され、回転カバー１１の内部に係止舌が設置され、自然状態で係止舌が歯形構造に係止し、相対的に逆回転することを防止し、かつ回転カバー１１の外部に係止舌を制御できる押圧部が設置され、回転カバー１１の外壁を押し付ける時、係止舌が歯形構造から離脱し、この時に相対的に逆回転し、取り外すことができる。
【００４５】
本実施形態は具体的に逆回転可能な構造を提供し、かつ逆回転する場合に係止機構により、回転カバー１１を引き外す現象が発生しない。
【００４６】
上記は本考案の優れた実施例に過ぎず、本考案を制限するものではない。本考案の精神及び原則の内になされたあらゆる変更、等価取替及び改良等は、本考案の保護範囲内に含まれるはずである。
【符号の説明】
【００４７】
１：機能モジュール
２：組み合わせフレーム
３：フレーム溝
４：フレームロッド
５：底板
６：蓋体
７：退位溝
８：磁石
９：中心スリーブ
１０：ファンブレード
１１：回転カバー
１２：モータカバー
１３：風路
１４：導光板
【図１】
0003235146.tif 000003
【図２】
0003235146.tif 000004
【図３】
0003235146.tif 000005
【図４】
0003235146.tif 000006
【図５】
0003235146.tif 000007
【図６】
0003235146.tif 000008
【図７】
0003235146.tif 000009
【図８】
0003235146.tif 000010
【図９】
0003235146.tif 000011